(57)【特許請求の範囲】
【請求項１】
建物開口部に設置するサッシ枠の内側にスクリーン枠を取り付けるための取付構造であって、
上記スクリーン枠は、左右の縦枠の一方をスクリーンの収納枠とし、他方を該スクリーンの一端が連結されて該スクリーンの開閉操作を行う可動框の受け枠とし、それらの収納枠及び受け枠を上下の横枠によって連結することにより、ユニットとして構成され、
上記スクリーン枠の下方の横枠の下面には、その長手方向に沿って、上記サッシ枠における下枠上面に係合して保持される係合段部を設け、
上記スクリーン枠の上方の横枠には、その上面に弾性的に突出してサッシ枠における上枠に設けた係止孔に係合する操作摘み付きの係止片を備え、
上記スクリーン枠の可動框は、上下端にキャップ部材を嵌着した一定断面の縦型材により構成され、該縦型材に、収納枠における受け枠側に当接する本体部と、該本体部から該収納枠の前面側に延びる操作部とを備えたものとし、
上記縦型材における操作部に、その長手方向に沿って、可動框の開閉操作のための指掛けに供する指掛け用凹凸を設けると共に、上記本体部に、その長手方向に沿って、受け枠に設けたラッチを係合させるラッチ用係合縁を設け、
上記スクリーン枠における上部及び左右の内法が、少なくともサッシ枠におけるそれぞれの内法と同等かそれよりも大きく形成され、
上記ラッチが、受け枠の前面側に突出するようにばね付勢して設けられた押圧子の内端側に係合鈎を突設することにより構成され、
該ラッチが、該押圧子の非押圧状態において該係合鈎が上記ラッチ用係合縁に係合し、該押圧子の押圧により上記ラッチ用係合縁との係合が解除されるものとして構成されている、
ことを特徴とする建物開口部用サッシ枠に対するスクリーン枠の取付構造。
【請求項２】
上記可動框の操作部が、上記スクリーン枠の収納枠に対するスクリーンの全収納状態において、該収納枠の前面における開口側の半分以上を覆うように形成されている、
ことを特徴とする請求項１に記載の建物開口部用サッシ枠に対するスクリーン枠の取付構造。
【発明の詳細な説明】
【技術分野】
【０００１】
本発明は、建物開口部用サッシ枠に対して網戸等のスクリーン枠を取り付けるための取付構造に関するものである。
【背景技術】
【０００２】
近年、防虫や花粉除けネット、あるいは、遮光その他の目的のスクリーンを建物開口部に張設するためのスクリーン装置は、そのデザインや機能の向上に伴って、室内調度品としての地位を占めるに至り、それを建物開口部に設置するサッシ枠の内側に固定することが多くなっている。このスクリーンを張設するためのスクリーン枠を、建物開口部におけるサッシ枠の内側に取り付ける場合、そのスクリーン枠を、サッシ枠に対して直接または適宜の取付金具等を介してねじ止めや両面接着テープで固定するのが一般的であるが、該スクリーン枠が室内側に突出し、しかも、サッシ枠によって制限される建物開口部からの視界を更に遮ることが多く、そのため、室内空間の快適さを損なうものとして歓迎されないこともある。
【発明の開示】
【発明が解決しようとする課題】
【０００３】
本発明の技術的課題は、上記スクリーン枠をユニット化して、それをサッシ枠に対し容易に装脱可能にし、メンテナンス性や施工性を改善すると同時に、比較的長期にわたる不使用時にも容易に取り外して室内空間の快適性を確保できるようにした建物開口部用サッシ枠に対するスクリーン枠の取付構造を提供することにある。
本発明の他の技術的課題は、上記スクリーン枠を、それが上記サッシ枠に装着されている状態においてもサッシ枠により得られている視界を可及的に遮らないものとして構成することにある。
【課題を解決するための手段】
【０００４】
上記課題を解決するための本発明に係るスクリーン枠の取付構造は、建物開口部に設置するサッシ枠の内側にスクリーン枠を取り付けるための取付構造であって、上記スクリーン枠は、左右の縦枠の一方をスクリーンの収納枠とし、他方を該スクリーンの一端が連結されて該スクリーンの開閉操作を行う可動框の受け枠とし、それらの収納枠及び受け枠を上下の横枠によって連結することにより、ユニットとして構成され、上記スクリーン枠の下方の横枠の下面には、その長手方向に沿って、上記サッシ枠における下枠上面に係合して保持される係合段部を設け、上記スクリーン枠の上方の横枠には、その上面に弾性的に突出してサッシ枠における上枠に設けた係止孔に係合する操作摘み付きの係止片を備え、上記スクリーン枠の可動框は、上下端にキャップ部材を嵌着した一定断面の縦型材により構成され、該縦型材に、収納枠における受け枠側に当接する本体部と、該本体部から該収納枠の前面側に延びる操作部とを備えたものとし、上記縦型材における操作部に、その長手方向に沿って、可動框の開閉操作のための指掛けに供する指掛け用凹凸を設けると共に、上記本体部に、その長手方向に沿って、受け枠に設けたラッチを係合させるラッチ用係合縁を設け、上記スクリーン枠における上部及び左右の内法が、少なくともサッシ枠におけるそれぞれの内法と同等かそれよりも大きく形成され、上記ラッチが、受け枠の前面側に突出するようにばね付勢して設けられた押圧子の内端側に係合鈎を突設することにより構成され、該ラッチが、該押圧子の非押圧状態において該係合鈎が上記ラッチ用係合縁に係合し、該押圧子の押圧により上記ラッチ用係合縁との係合が解除されるものとして構成
されていることを特徴とするものである。
【０００５】
本発明に係るスクリーン枠の取付構造の好ましい実施形態においては、上記可動框の操作部が、上記スクリーン枠の収納枠に対するスクリーンの全収納状態において、該収納枠の前面における開口側の半分以上を覆うように形成されているのが望ましい。
【０００７】
上記構成を有する本発明のスクリーン枠の取付構造においては、スクリーン枠の取り外しは、スクリーン枠の上方の横枠に設けた係止片の操作摘みを操作するだけでよく、それにより、該横枠の上面に弾性的に突出している係止片をサッシ枠における上枠の係止孔から離脱させ、スクリーン枠をサッシ枠から取り外すことができ、また、サッシ枠に対するスクリーン枠の装着は、上記と逆の操作により容易に行うことができる。
しかも、上述したように、スクリーン枠の取り外しは、該スクリーン枠に設けた係止片の操作摘みを操作するだけで簡単に行うことができるが、該操作摘みは、スクリーン枠の上方の横枠に設けているので、誤って操作することによりスクリーン枠が外れてしまう可能性も殆どない。
【０００８】
また、上記スクリーン枠をユニット化する場合、左右の縦枠の一方をスクリーンの収納枠とし、他方を該スクリーンの一端が連結されて該スクリーンの開閉操作を行う可動框の受け枠とするが、その場合に、スクリーンの収納枠の方が、内部にスクリーンの収納空間を持つことから、受け枠に比して横幅が大きくなり、しかも、スクリーンを該収納枠に収納したときには、その収納枠に可動框が重ねられるので、それらを合わせた横幅が更に大きいものとなる。そのため、スクリーン枠を、サッシ枠により得られている視界を可及的に遮らないものとして構成するためには、該スクリーン枠に可動框が重ねられた状態での横幅を可及的に小さくすることが必要になる。
【０００９】
しかるに、上述したように、可動框を、収納枠における受け枠側に当接する本体部と、該本体部から該収納枠の前面側に延びる操作部とを備えたものとすれば、収納枠に可動框を重ねた状態でのそれらの横幅を比較的小さくすることができ、しかも、該可動框の縦型材における上記操作部自体の横幅は比較的大きくとれるので、可動框の開閉操作のための指掛け用凹凸を設ける余裕も十分に存在して、設計上や外観上に不都合が生じることがなく、結果的に、上記スクリーン枠における上部及び左右の内法を、少なくともサッシ枠におけるそれぞれの内法と同等かそれよりも大きいものとして形成することが容易になる。この場合に、上記可動框の操作部は、上記スクリーン枠の収納枠の前面における横幅の半分以上を覆うように形成することができる。
なお、上記スクリーン枠における下方の横枠は、それがサッシ枠の下枠より突出していても、それが建物開口部の視界に影響を与えることは少ないので、スクリーン枠の上部及び左右の内法と同様に配慮する必要はない。
【発明の効果】
【００１０】
上述した本発明によれば、スクリーン枠をユニット化して、それをサッシ枠に対し容易に装脱可能にしているので、メンテナンス性や施工性が改善されると同時に、比較的長期にわたるスクリーンの不使用時にもそのスクリーン枠を容易に取り外して室内空間の快適性を確保することができ、また、上記スクリーン枠を、それが上記サッシ枠に装着されている状態においてもサッシ枠により得られている視界を可及的に遮らないものとして構成しているので、該スクリーン枠を装着しても室内空間の快適さを損なうことがない。
【発明を実施するための最良の形態】
【００１１】
図１〜図４は、本発明に係る建物開口部用サッシ枠に対するスクリーン枠の取付構造の第１実施例を示すものである。この第１実施例において、建物開口部に設置されるサッシ枠１は、左右の側枠２ａ，２ｂと、それらの上下を連結する上枠３及び下枠４とを備え、該サッシ枠１には、その下枠４に設けた操作ハンドル６により回動操作されて、該サッシ枠１から辷り出し状態で外側に開き、また、逆に閉じられたときにはサッシ枠１内に納まるガラス戸５を設けている。上記ガラス戸５は、下枠４に必要なレバー７，８を介して連結されたもので、ここでは回転レバー７と駆動レバー８の一端をそれぞれ下枠４に回転可能に連結すると共に、それらのレバー７，８の他端をガラス戸５に回転可能に連結し、それらによって支持されたガラス戸５を、操作ハンドル６による駆動レバー８の一端の回転駆動により、閉位置（図２）と開位置（図３）との間を移動可能としたものである。
【００１２】
なお、この種の操作ハンドルによるガラス戸５の開閉駆動機構は、極めて一般的に知られているものであり、それらの機構を適宜採用することができる。また、上記建物開口部のサッシ枠１におけるガラス戸５は、上述したハンドル操作で開閉するものに限るものではなく、任意機構によって開閉する構成とすることができる。
【００１３】
上記サッシ枠１に装脱自在に取り付けられるスクリーン枠１０は、左右の縦枠の一方をスクリーン１５の収納枠１１とし、その他方を該スクリーン１５の一端が連結されて該スクリーン１５の開閉操作を行う可動框１６の受け枠１２とし、それらの収納枠１１及び受け枠１２を、上記可動框１６の上下端をガイドする上下の横枠１３，１４によって連結することにより、図４に示すようなユニットとして構成している。
上記収納枠１１は、その内部に、スクリーン１５を巻き取るための当該巻取り方向にばね付勢された回転自在の巻取軸１８を備え、それによってスクリーン１５を該巻取軸１８に巻き取り可能に形成した周知のものである。
【００１４】
上記スクリーン枠１０をサッシ枠１に対して容易に装脱できるように取り付けるため、該スクリーン枠１０の下方の横枠１４の下面には、該横枠の長手方向に沿って、サッシ枠１における下枠４の上面に設けた段部４ａに係合して保持される係合段部１４ａを備えている。上記サッシ枠１の下枠４における段部４ａは、図１から分かるように、上記下枠４の室内側をスクリーン枠１０の下方の横枠１４の係合に必要な高さにして段差を形成したものであり、一方、スクリーン枠１０の下方の横枠１４の下面には、図１及び図４から分かるように、上記段部４ａに係合する係合段部１４ａを形成している。これらの段部４ａ及び係合段部１４ａの係合状態においては、スクリーン枠１０がサッシ枠１に対して前後にがたつかないように、それらの間の適宜位置に緩衝部材が介装される。
【００１５】
また、上記スクリーン枠１０の上方の横枠１３には、図１及び図５から分かるように、その横枠１３内を通してその上面に弾性的に突出し、サッシ枠１の上枠３に設けた係止孔２２に係合するところの、操作摘み２０ａ付きの係止片２０を備えている。
この係合片２０は、横枠１３内に設けたスプリング２１でその先端が突出する方向に付勢され、横枠１３から突出する先端部２０ｂを外側が低くなる傾斜面として、図６に示すように、スクリーン枠１０をサッシ枠１に装着するときには、該サッシ枠１における下枠４の上面の段部４ａにスクリーン枠１０の係合段部１４ａを係合保持させた状態で、スクリーン枠１０の上部をサッシ枠１に押し付けるだけで、上記係止片２０が自動的に後退して係止孔２２に係合するようにしている。
【００１６】
図４、図７及び図８に明瞭に示すように、上記スクリーン枠１０における可動框１６は、上下端にキャップ部材２４ａを嵌着した一定断面形状の縦型材２４により構成され、該縦型材２４を、収納枠１１における受け枠１２側に当接する本体部２５と、該本体部２５から該収納枠１１の前面側に延びる操作部２６とを一体に備えたものとして構成している。そして、上記縦型材２４における操作部２６に、その長手方向に沿って、可動框の開閉操作のための指掛けに供する指掛け用凹凸２６ａを設けると共に、該縦型材２４における上記本体部２５に、受け枠１２に設けたラッチ２８を係合させるラッチ用係合縁２５ａを設けている。
上記可動框１６の操作部２６は、上記スクリーン枠１０の収納枠１１に対するスクリーン１５の全収納状態において、該収納枠１１の前面における開口側の半分以上を覆うように形成するのが望ましい。
【００１７】
上述したように、スクリーン枠１０をユニット化してそれをサッシ枠１の内側に装着する場合、通常は、スクリーン１５の収納枠１１の方が、内部にスクリーン１５の収納空間を持つことから受け枠１２に比して横幅が大きくなり、しかも、スクリーン１５を該収納枠１１に収納したときには、その収納枠１１に可動框１６が重ねられるので、それらを合わせた横幅が更に大きいものになるが、上述したように、可動框１６の縦型材２４を、収納枠１１における受け枠１２側に当接する本体部２５と、該本体部２４から該収納枠１１の前面側に延びる操作部２６とを一体に備えたものとして構成し、上記操作部２６が収納枠１１の前面の半分以上を覆うように形成すると、収納枠１１側に可動框１６があってもそれらの横幅がさほど大きくなることはなく、しかも、上記操作部２６にある程度の幅を持たせることができるので、可動框１６の開閉操作のための指掛け用凹凸２６ａを設ける領域を十分に確保することができる。
また、スクリーン枠１０に可動框１６が重ねられた状態での横幅が小さくなることから、スクリーン１５が張設されているか否かに拘わらず、スクリーン枠１０を、サッシ枠１により形成されている視界を可及的に遮らないものとして構成することが可能になる。
【００１８】
上記受け枠１２に設けられて可動框１６のラッチ用係合縁２５ａに係脱するラッチ２８は、図８に詳細に示すように、該受け枠１２内においてその前面側に出没可能にガイドされ、該受け枠１２内に収容したばね２９で前面側に突出するように付勢された押圧子２８ａを備え、該押圧子２８ａの内端側に係合鈎２８ｂが突設されている。そして、該押圧子２８ａの非押圧状態において該係合鈎２８ｂが上記ラッチ用係合縁２５ａに係合し、該押圧子２８ａの押圧により上記ラッチ用係合縁２５ａとの係合が解除されるものとして構成されている。
従って、図８に示すように、可動框１６のラッチ用係合縁２５ａに係合鈎２８ｂを係合させた状態で押圧子２８ａを押圧すれば、上記係合鈎２８ｂがラッチ用係合縁２５ａから外れ、スクリーン１５が、巻取り方向にばね付勢された巻取軸１８に巻き取られる。
【００１９】
スクリーン枠１０をユニット化してそれをサッシ枠１の室内側に装着する場合には、スクリーン枠１０を、サッシ枠１により形成されている視界を可及的に遮らないものとして構成することが要求されるが、上述したように、可動框１６を、収納枠１１における受け枠１２側に当接する本体部２５と、該本体部２５から該収納枠１１の前面側に延びる操作部２６とを備えたものとすすることにより、収納枠１１に可動框１６を重ねた状態でのそれらの横幅を比較的小さくすることができるので、上記スクリーン枠１０における上部及び左右の内法を、少なくともサッシ枠１におけるそれぞれの内法と同等かそれよりも大きいものとして形成することが可能になり、スクリーン枠１０を設けることによって室内空間の快適さを損なうことがない。
【００２０】
図９は、前記第１実施例における巻取式のスクリーン１５に代えて、ジグザグ状に折り畳んだ折り畳み式のスクリーン３０を用いる第２実施例を示している。この第２実施例では、収納枠１１に可動框１６を重ねた状態でのそれらの横幅を、第１実施例の場合と同様に更に小さく形成することにより、スクリーン枠１０における上部及び左右の内法を、少なくともサッシ枠１におけるそれぞれの内法と同等かそれよりも大きいものとして形成することができる。なお、この第２実施例のその他の構成は、第１実施例の場合と実質的に変わるところがないので、図中に第１実施例と同様の符号を付してそれらの説明を省略する。
【図面の簡単な説明】
【００２１】
【図１】本発明に係るスクリーン枠の取付構造の第１実施例を示す縦断面納まり図である。
【図２】同実施例におけるスクリーンの収納状態を示す水平断面図である。
【図３】同実施例における建物開口部の窓を開放し、スクリーンを張設した状態を示す水平断面図である。
【図４】同実施例におけるスクリーン枠の斜視図である。
【図５】同実施例における操作摘み付き係止片の部分正面図である。
【図６】同実施例におけるサッシ枠へのスクリーン枠の取付態様を説明するための縦断面図である。
【図７】同実施例における収納枠及び可動框の拡大断面図である。
【図８】同実施例におけるラッチ機構の詳細を示す断面図である。
【図９】本発明に係るスクリーン枠の取付構造の第２実施例の水平断面図である。
【符号の説明】
【００２２】
１      サッシ枠
３      上枠
４      下枠
１０      スクリーン枠
１１      収納枠
１２      受け枠
１３，１４    横枠
１４ａ    係合段部
１５      スクリーン
１６      可動框
１８      巻取軸
２０      係止片
２０ａ    操作摘み
２２      係止孔
２４      縦型材
２５      本体部
２５ａ    ラッチ用係合縁
２６      操作部
２６ａ    指掛け用凹凸
２８      ラッチ
【図１】
0005043716.tif 000002
【図２】
0005043716.tif 000003
【図３】
0005043716.tif 000004
【図４】
0005043716.tif 000005
【図５】
0005043716.tif 000006
【図６】
0005043716.tif 000007
【図７】
0005043716.tif 000008
【図８】
0005043716.tif 000009
【図９】
0005043716.tif 000010